(57)【要約】【課題】受信した画像データを表示する外部機器に、無線通信手段を用いて画像データを送信し、プレゼンテーション機能を実現する際に、上記無線通信手段を用いて、音声リモートコントロール機能を実現する。【解決手段】音声認識エンジン３３は音声データ切り替えボタン３２のオン操作時に於いて音声データ出力部（Ａ／Ｄ）３１より音声データを受けると、当該音声データの音声認識を行い、その認識結果データをもとに音声テーブル３４を用いて、入力された音声に従う指示データを生成する。音声テーブル３４は、ＰＤＡ１０のコマンド生成用音声テーブル３４ａとワイヤレスプロジェクタ２０のコマンド生成用音声テーブル３４ｂとを有して構成され、音声テーブル３４ｂを用いて生成した指示データはプレゼンテーション制御プログラム３５によりパケット化され、無線ＬＡＮデバイス１３０に送出される。【選択図】    図１
2004265329.tif 000002
【特許請求の範囲】
【請求項１】
受信した画像データを表示する外部機器と通信が可能な無線通信手段と、
前記無線通信手段を用いて前記外部機器に画像データを送信する画像データ送信手段と、
前記画像データ送信手段が送信する画像データを更新する画像データ更新手段と、
音声情報を入力する音声入力手段と、
前記音声入力手段から入力された音声情報を認識処理して、音声入力された前記外部機器に対する指示データを取得する音声指示データ取得手段と、
前記音声指示データ取得手段で取得した指示データを前記無線通信手段を用いて前記外部機器に送信する指示データ送信手段と
を具備したことを特徴とする情報処理装置。
【請求項２】
前記音声指示データ取得手段は、
前記入力された音声情報から前記外部機器に対する設定および操作を指示する指示データを取得するための外部用音声認識テーブルと、
前記入力された音声情報から内部の処理および制御に対する指示データを取得するための内部用音声認識テーブルと、
前記音声入力手段より入力された音声情報をもとに前記各音声認識テーブルを参照して、前記外部機器に対する設定および操作を指示する指示データ、および内部の処理および制御に対する指示データを取得する処理手段と
を具備する請求項１記載の情報処理装置。
【請求項３】
前記音声入力手段は、前記入力された音声情報を、前記音声指示データ取得手段が認識処理する音声情報と、前記外部機器が用いる音声メッセージとに振り分ける操作手段を具備し、前記音声入力手段が具備する操作手段により振り分けられた前記音声メッセージを前記無線通信手段を用いて前記外部機器に送信する音声メッセージ送信手段をさらに具備する請求項１記載の情報処理装置。
【請求項４】
前記外部用音声認識テーブルには、前記外部機器に表示されるプレゼンテーション画像を操作する指示データ、前記外部機器の設定を行う指示データの少なくともいずれかが含まれる請求項２記載の情報処理装置。
【請求項５】
前記内部用音声認識テーブルには、前記外部機器を制御する指示データ、前記外部機器へ送信する画像データを指定する指示データの少なくともいずれかが含まれる請求項２記載の情報処理装置。
【請求項６】
受信した画像データを表示する外部機器に、無線通信手段を用いて画像データを送信し、前記外部機器を用いて、プレゼンテーション機能を実現するコンピュータに、
音声情報をもとに前記コンピュータが用いる前記プレゼンテーション操作に係わる指示データを生成する機能と、
前記生成したデータを前記無線通信手段を用いて前記外部機器に送信する機能と
を実現させるためのプログラム。
【請求項７】
前記プレゼンテーション機能に係わるデータを生成する機能には、前記プレゼンテーション機能に係わるコマンドを生成する機能が含まれる請求項６記載のプログラム。
【請求項８】
前記プレゼンテーション機能に係わるデータを生成する機能には、前記プレゼンテーション機能に係わる音声メッセージを生成する機能が含まれる請求項７記載のプログラム。
【請求項９】
前記プレゼンテーション機能に係わるコマンドを生成する機能には、前記プレゼンテーション機能に係わるコマンドが前記コンピュータ内部で用いるコマンドであるか前記外部機器に送信するコマンドであるかを弁別する機能が含まれる請求項７記載のプログラム。
【発明の詳細な説明】
【０００１】
【発明の属する技術分野】
本発明は、例えばＰＤＡ（Ｐｅｒｓｏｎａｌ  Ｄｉｇｉｔａｌ  Ａｓｓｉｓｔａｎｔｓ  ）のような情報処理装置および同装置で用いられるプログラムに関する。
【０００２】
【従来の技術】
近年、ＰＤＡ、ノートブック型パーソナルコンピュータのような様々な携帯型情報処理装置が開発されている。この種、携帯型情報処理装置は、その多くが無線通信機能を有しており、他の情報処理装置および各種コンシューマ電子機器に無線接続することができる。
【０００３】
情報処理装置の無線通信機能を用いた応用システムとしては、情報処理装置から無線によって送信される画像データをプロジェクタによって大型スクリーンに表示する情報表示システムが知られている（例えば、特許文献１参照）。この情報表示システムは、情報処理装置の記憶装置に蓄積された画像データが、無線によってプロジェクタに送信される。
【０００４】
【特許文献１】
特開２０００−２２２１６３号公報（図１）
【０００５】
【発明が解決しようとする課題】
従来の情報処理装置は、プレゼンテーション機能について機能並びに使い勝手の面で問題があった。
【０００６】
本発明は上記実情に鑑みなされたもので、機能性の高い、使い勝手のよいプレゼンテーション機能を実現可能な情報処理装置およびプログラムを提供することを目的とする。
【０００７】
【課題を解決するための手段】
本発明は、受信した画像データを表示する外部機器に、無線通信手段を用いて画像データを送信し、前記外部機器を用いて、プレゼンテーション機能を実現する際に、前記無線通信手段を用いて、音声リモートコントロール機能を実現したことを特徴とする。
【０００８】
本発明に係る情報処理装置は、受信した画像データを表示する外部機器と通信が可能な無線通信手段と、前記無線通信手段を用いて前記外部機器に画像データを送信する画像データ送信手段と、前記画像データ送信手段が送信する画像データを更新する画像データ更新手段と、音声情報を入力する音声入力手段と、前記音声入力手段から入力された音声情報を認識処理して、音声入力された前記外部機器に対する指示データを取得する音声指示データ取得手段と、前記音声指示データ取得手段で取得した指示データを前記無線通信手段を用いて前記外部機器に送信する指示データ送信手段とを具備し、前記外部機器を用いてプレゼンテーション機能を実現する際に、前記無線通信手段を用いて音声リモートコントロール機能を実現したことを特徴とする。
【０００９】
【発明の実施の形態】
以下、図面を参照して本発明の実施形態を説明する。
図１には、本発明の第１実施形態に係る情報処理装置が示されている。この情報処理装置はＰＤＡとして実現されている。このＰＤＡ１０は、移動端末として機能する携帯型情報処理装置である。ＰＤＡ１０は無線ＬＡＮデバイス１３０を備えている。無線ＬＡＮデバイス１３０は、例えばＩＥＥＥ  ８０２．１１ａ／ＩＥＥＥ  ８０２．１１ｂ  規格に従って、無線通信を実行するように構成された無線通信デバイスである。以下、ＰＤＡ１０に設けられた無線プレゼンテーション機能について説明する。
【００１０】
無線プレゼンテーション機能は、ＰＤＡ１０によって実行されるプレゼンテーションプログラム１２によって描画される画面イメージデータをワイヤレスプロジェクタ２０の投影スクリーン上に表示する機能である。プレゼンテーションプログラム１２はスライドショーを実行するアプリケーションプログラムであり、ＶＧＡ（６４０ｘ４８０）サイズの画面イメージデータをスライドデータとして生成することができる。以下、ＶＧＡ（６４０ｘ４８０）サイズのスライドデータをＶＧＡスライドデータと称す。ＶＧＡスライドデータをＰＤＡ１０の表示装置に表示する際には、ＶＧＡスライドデータがＰＤＡ１０の表示装置の表示解像度に対応する画面イメージデータに変換される。表示装置の表示解像度は、ＶＧＡ（６４０ｘ４８０）の１／４の解像度であるＱＶＧＡ（３２０ｘ２４０）である。よって、ＶＧＡスライドデータを構成する画面イメージは１／４に縮小された後に表示装置に表示される。
【００１１】
上述の無線プレゼンテーション機能は、ＰＤＡ１０とワイヤレスプロジェクタ２０との間の無線通信を利用して実現される。ワイヤレスプロジェクタ２０は、無線ＬＡＮデバイス２１を備えている。無線ＬＡＮデバイス２１は、例えばＩＥＥＥ  ８０２．１１ａ／ＩＥＥＥ  ８０２．１１ｂ  規格に従って、無線通信を実行するように構成された無線通信デバイスである。
【００１２】
ＰＤＡ１０には、ワイヤレスユーティリティプログラム１１が予めインストールされている。ワイヤレスユーティリティプログラム１１は無線プレゼンテーションを制御するためのプログラムである。このワイヤレスユーティリティプログラム１１は、プレゼンテーションプログラム１２がディスプレイドライバ１４を介してビデオメモリ（ＶＲＡＭ）１５に描画したＶＧＡスライドデータをキャプチャし、そしてそのキャプチャしたＶＧＡスライドデータを無線ＬＡＮデバイス１３０を用いてワイヤレスプロジェクタ２０に無線信号によって送信する。
【００１３】
この場合、ＶＲＡＭ１５に描画されるＶＧＡスライドデータが更新されたときのみ、その更新されたＶＧＡスライドデータがＰＤＡ１０からワイヤレスプロジェクタ２０に送信される。更新されたＶＧＡスライドデータはワイヤレスユーティリティプログラム１１によって圧縮符号化された後に、無線ＬＡＮデバイス１３０に送信される。ＶＧＡスライドデータの内容が変化しない期間中は、ＰＤＡ１０からワイヤレスプロジェクタ２０へのＶＧＡスライドデータの送信は行われない。
【００１４】
ワイヤレスプロジェクタ２０は、ＶＧＡスライドデータを受信し、その受信したＶＧＡスライドデータに対応する光学像を投影用の大型スクリーンに投影する。ワイヤレスプロジェクタ２０においては、受信されたＶＧＡスライドデータは復号された後にフレームバッファに書き込まれる。フレームバッファに格納されたＶＧＡスライドデータに対応する光学像が投影用の大型スクリーンに投影される。
【００１５】
また、ＰＤＡ１０には、上記無線ＬＡＮデバイス１３０を用いて、音声リモートコントロール機能を実現するための構成要素として、マイクロフォン（ＭＩＣ）３０、音声データ出力部（Ａ／Ｄ）３１、音声データ切り替えボタン３２、音声認識エンジン３３、音声テーブル３４、プレゼンテーション制御プログラム３５等が設けられる。音声データ出力部（Ａ／Ｄ）３１はマイクロフォン３０から得られるアナログ音声信号をシステムで扱う音声データに変換する。
【００１６】
音声データ切り替えボタン３２はユーザ（ここではプレゼンター）が選択的に操作するもので、ここでは、マイクロフォン３０で拾った音声をプレゼンテーション用の音声メッセージとしてワイヤレスプロジェクタ２０に送信したい場合は操作されず、ＰＤＡ１０およびワイヤレスプロジェクタ２０への指示を音声入力により行う場合に選択的に操作される。音声データ切り替えボタン３２が操作された状態（オン状態）では、音声データ出力部（Ａ／Ｄ）３１から出力された音声データが音声認識エンジン３３に供給される。音声データ切り替えボタン３２が操作されない状態（オフ状態）では、音声データ出力部（Ａ／Ｄ）３１から出力された音声データがプレゼンテーション制御プログラム３５により無線ＬＡＮデバイス１３０で扱うパケット用のデータに加工されて無線ＬＡＮデバイス１３０に供給される。
【００１７】
音声認識エンジン３３は入力された音声データの音声認識を行い、その認識結果をもとに音声テーブル３４を参照して入力された音声に従う指示情報を生成する。この音声認識エンジン３３により参照される音声テーブル３４は、図３に示すように、ＰＤＡ１０のコマンド生成用音声テーブル３４ａとワイヤレスプロジェクタ２０のコマンド生成用音声テーブル３４ｂとを有して構成される。この音声テーブル３４には音声データと指示データ（コマンド）との関係を定義した変換データが予め設定される。この音声テーブル３４に設定された変換データはユーザの操作で任意に変更可能である。
【００１８】
プレゼンテーション制御プログラム３５は、音声入力に伴う指示（制御）データ、および音声データの生成処理、ワイヤレスプロジェクタ２０との間の各種データの転送制御等を含む、プレゼンテーション機能を実行する際の制御並びに処理機能を実現する。この実施形態では図４に示すような音声データの処理機能を実現している。
【００１９】
また、ワイヤレスプロジェクタ２０には、上記した無線ＬＡＮデバイス２１に加え、音声入力指示により投影スクリーン画像を撮影する書画カメラ２２が設けられる。さらに、無線ＬＡＮデバイス２１が受信した音声メッセージを出力するための、音声信号出力部（Ｄ／Ａ）２３、音声増幅器（ＡＭＰ）２４、ラウドスピーカ（ＳＰ）２５等が設けられる。音声信号出力部２３は無線ＬＡＮデバイス２１が受信した音声メッセージデータ（音声データパケット）を復号化しアナログ音声信号に復元する。音声増幅器２４は音声信号出力部２３で復元したアナログ音声信号を電力増幅し、スピーカ２５より音声メッセージを出力する。
【００２０】
次に、図２を参照して、ＰＤＡ１０のシステム構成を説明する。
【００２１】
ＰＤＡ１０は、上述の無線ＬＡＮデバイス１３０、ＶＲＡＭ１５、および音声リモートコントロール機能を実現するための構成要素（３０〜３５）に加え、図示のように、ＣＰＵ１０１、システムコントローラ１０２、メモリ１０３、表示コントローラ１０４、タブレットコントローラ１０５、Ｉ／Ｏコントローラ１０６、メモリカード１０７、操作ボタン群１０８、表示装置（ＬＣＤ）１１１、およびタブレット１１２、サウンドコントローラ１１７などを備えている。
【００２２】
ＣＰＵ１０１は本ＰＤＡ１０の動作を制御するために設けられたプロセッサであり、オペレーティングシステム（ＯＳ）および各種アプリケーションプログラム／ユーティリティプログラムを実行する。オペレーティングシステム（ＯＳ）は、ペン入力操作を実現するためのタブレット制御機能を有している。
【００２３】
メモリ１０３は、オペレーティングシステム（ＯＳ）および各種アプリケーションプログラム／ユーティリティプログラムが格納された不揮発性メモリと、主メモリとして使用されるＲＡＭとを備えている。不揮発性メモリには、上述のワイヤレスユーティリティプログラム１１、プレゼンテーションプログラム１２、およびプレゼンテーション制御プログラム３５等も格納されている。
【００２４】
システムコントローラ１０２は、ＣＰＵ１０１のローカルバスとシステムバス１００との間を接続するブリッジデバイスである。システムコントローラ１０２は、メモリ１０３を制御するメモリコントローラも内蔵している。表示コントローラ１０４は、ＰＤＡ１０の表示装置１１１として使用されるＬＣＤを制御することによって、ＶＲＡＭ１５に描画された画面イメージデータを表示装置１１１に表示する。表示装置１１１の表示解像度は、上述したように、ＶＧＡ（６４０ｘ４８０）の１／４の解像度であるＱＶＧＡ（３２０ｘ２４０）である。
【００２５】
ＶＲＡＭ１５は、オンスクリーンエリアとオフスクリーンエリアとを有している。オンスクリーンエリアは表示装置１１１に表示されるＱＶＧＡ（３２０ｘ２４０）サイズの画面イメージデータを格納する記憶領域であり、フレームバッファとして使用される。表示コントローラ１０４は、オンスクリーンエリアから画面イメージデータを順次読み出し、それを表示装置１１１に表示する。
【００２６】
タブレットコントローラ１１２は、タブレット１１２を制御する。タブレット１１２は、表示装置１１１を構成するＬＣＤの表示面上に設けられた透明の座標検出装置から構成されている。表示装置１１１とタブレット１１２とにより、ペン入力操作可能なタッチスクリーンが構成される。
【００２７】
Ｉ／Ｏコントローラ１０６は、ＰＤＡ１０に取り外し自在に装着されるメモリカード１０７の制御、および操作ボタン群１０８の制御を行う。操作ボタン群１０８は、例えば、パワーボタン、特定のアプリケーションを起動するためのアプリケーションボタン、カーソルキー、などの複数の操作ボタンから構成されている。この実施形態では上記図１に示した音声データ切り替えボタン３２が含まれている。
【００２８】
サウンドコントローラ１１７は、上記図１に示す音声データ出力部（Ａ／Ｄ）３１、音声コーデック等を備え、マイクロフォン３０で拾われ、音声データ出力部（Ａ／Ｄ）３１でアナログ／ディジタル変換された音声データを符号化処理してパケット化する機能をもつ。
【００２９】
図３には上記図１に示した音声リモートコントロール機能を実現するための構成要素が示されている。音声認識エンジン３３は音声データ切り替えボタン３２のオン操作時に於いて音声データ出力部（Ａ／Ｄ）３１より音声データを受けると、当該音声データの音声認識を行い、その認識結果データをもとに音声テーブル３４を参照して入力された音声に従う指示データを生成する。この実施形態に於いて、音声テーブル３４は、ＰＤＡ１０のコマンド生成用音声テーブル３４ａとワイヤレスプロジェクタ２０のコマンド生成用音声テーブル３４ｂとを有して構成される。ＰＤＡ１０のコマンド生成用音声テーブル３４ａを参照して生成した指示データはシステムバス１００上に出力される。ワイヤレスプロジェクタ２０のコマンド生成用音声テーブル３４ｂを参照して生成した指示データはプレゼンテーション制御プログラム３５によりパケット化され、無線ＬＡＮデバイス１３０に送出される。
【００３０】
図４には上記プレゼンテーション制御プログラム３５により実現される、音声入力に伴う指示（制御）データ、および音声データの生成処理、ワイヤレスプロジェクタ２０との間の各種データの転送制御を行う処理手順が示されている。
【００３１】
ここで上記各図を参照して本発明の実施形態に於ける動作を説明する。
先ず、ワイヤレスユーティリティプログラム１１によって実行される無線プレゼンテーション処理の手順について説明する。
【００３２】
ワイヤレスユーティリティプログラム１１が起動されると、ワイヤレスユーティリティプログラム１１は、ＰＤＡ１０の周囲に存在するワイヤレスプロジェクタを検出する。ここでは、ＰＤＡ１０と通信可能なデバイスを検出するための機器発見処理（デバイスディスカバリー処理）が実行される。
【００３３】
すなわち、ワイヤレスユーティリティプログラム１１は、無線ＬＡＮデバイス１３０を用いて機器発見のためのデバイスディスカバリーコマンドをブロードキャストし、そのデバイスディスカバリーコマンドに対する応答を待つ。デバイスディスカバリーコマンドを受信した各ワイヤレスプロジェクタ２０は、自身の無線ＬＡＮデバイス２１に割り当てられたＭＡＣアドレスと自身のデバイスタイプ（＝プロジェクタ）を示す識別子とを含む応答をＰＤＡ１０に返す。この応答により、ワイヤレスユーティリティプログラム１１は、ＰＤＡ１０から送信される無線信号が届く範囲内に存在する各ワイヤレスプロジェクタを検出することができる。
【００３４】
そして、ワイヤレスユーティリティプログラム１１は、表示装置１１１に、検出されたワイヤレスプロジェクタの一覧をプロジェクタリスト上に表示する。ここで、あるワイヤレスプロジェクタ２０がユーザによって選択され、さらに所定のボタン操作、若しくは音声でプレゼンテーションの「開始」を指示すると、ワイヤレスユーティリティプログラム１１は、上記プロジェクタリストから選択されたワイヤレスプロジェクタ２０に接続要求を送信して、その選択されたワイヤレスプロジェクタ２０との無線接続を確立する。この際は、ＰＤＡ１０と、選択されたワイヤレスプロジェクタ２０との間の物理無線リンクの確立のみならず、その間のセッションも確立される。
【００３５】
ワイヤレスプロジェクタ２０との無線接続が確立された後、ワイヤレスユーティリティプログラム１１は、プレゼンテーションプログラム１２を起動する。起動されたプレゼンテーションプログラム１２は、ＶＧＡスライドデータをＶＲＡＭ１５のオフスクリーンエリアに順次描画するスライドショー（ＶＧＡスライドショー）を開始する。
【００３６】
ワイヤレスユーティリティプログラム１１は、ＶＲＡＭ１５のオフスクリーンエリアからＶＧＡスライドデータを取得する。さらにワイヤレスユーティリティプログラム１１は、ＶＲＡＭ１５のオフスクリーンエリアからの画面イメージデータのリードを要求するコマンドをディスプレイドライバ１４に発行する。ディスプレイドライバ１４は、表示コントローラ１０４を介して画面イメージデータをオフスクリーンエリアから読み出し、それをワイヤレスユーティリティプログラム１１に渡す。
【００３７】
ワイヤレスユーティリティプログラム１１は、新たに取得した画面イメージデータと前回送信された画面イメージデータとを比較することにより、ＶＧＡスライドデータが更新されたかどうかを判別する。新たに取得した画面イメージデータが前回送信した画面イメージデータと異なる場合、プレゼンテーションプログラム１２によってＶＧＡスライドデータが更新されたこと、つまりプレゼンテーションプログラム１２によって新たなＶＧＡスライドデータが生成されたことが認識される。この場合、新たに取得された画面イメージデータは、送信すべきデータ（つまり、更新されたＶＧＡスライドデータ）であると判断される。尚、プレゼンテーションの開始後、最初に取得されたＶＧＡスライドデータについては、無条件に、更新されたＶＧＡスライドデータであると判断される。上記したＶＧＡスライドデータを取得する処理、および取得したＶＧＡスライドデータが前回送信したＶＧＡスライドデータと異なるかどうかを判別する処理は、一定時間間隔で繰り返し実行される。
【００３８】
取得されたＶＧＡスライドデータが送信すべきデータ（更新されたＶＧＡスライドデータ）であると判断されたならば、ワイヤレスユーティリティプログラム１１は、その取得されたＶＧＡスライドデータを圧縮符号化する。次いで、ワイヤレスユーティリティプログラム１１は、セキュリティーモードが選択されているかどうかを判別する。セキュリティーモードが選択されているならば、ワイヤレスユーティリティプログラム１１は、圧縮符号化されたＶＧＡスライドデータを暗号化し、それを無線ＬＡＮデバイス１３０を用いて、選択されたプロジェクタ２０に送信する。
【００３９】
ユーザが所定のボタン操作、若しくは音声による「終了」の指示を行うまでの間、ＰＤＡ１０とプロジェクタ２０との間の無線接続は維持される。この無線接続が維持されている期間中、上記した処理が繰り返し実行される。
【００４０】
ここで、図４を参照して、プレゼンテーション制御プログラム３５により実現される、音声入力に伴う、指示（制御）データおよび音声データの生成並びに転送処理について説明する。ユーザは、上記プレゼンテーションの実行時に於いて、マイクロフォン３０より、プレゼンテーションに関わる音声指示、および音声メッセージを入力できる。ユーザの音声はマイクロフォン３０に拾われる。マイクロフォン３０から出力されたアナログ音声信号は、音声データ出力部（Ａ／Ｄ）３１に供給される。音声データ出力部（Ａ／Ｄ）３１はマイクロフォン３０から得られるアナログ音声信号をシステムで扱う音声データに変換する（図４ステップＳ１０１）。
【００４１】
この際、ユーザ（プレゼンター）が、音声データ切り替えボタン３２をオン操作して、マイクロフォン３０より音声を入力した際は（図４ステップＳ１０２  Ｙｅｓ）、その音声入力による音声データが音声認識エンジン３３に供給されて、上記したような音声認識処理並びに音声テーブル３４を用いた指示データの生成処理が実行される（図４ステップＳ１０３，Ｓ１０５）。
【００４２】
また、音声データ切り替えボタン３２が操作されていない際は、上記音声データが音声認識エンジン３３に供給されず、プレゼンテーション制御プログラム３５により無線ＬＡＮデバイス１３０で扱うパケット用の音声メッセージデータに加工され、無線ＬＡＮデバイス１３０を用いてワイヤレスプロジェクタ２０に供給される（図４ステップＳ１０４）。
【００４３】
音声データ切り替えボタン３２をオン操作して、マイクロフォン３０より音声を入力した際（図４ステップＳ１０２  Ｙｅｓ）は、音声認識エンジン３３が音声テーブル３４を用いて指示データを生成する（図４ステップＳ１０３，Ｓ１０５）が、この際、プレゼンテーション制御プログラム３５は、ＰＤＡ１０のコマンド生成用音声テーブル３４ａから生成された指示データ（ＣＯＭａ，ＣＯＭｂ，…）については（図４ステップＳ１０６  Ｙｅｓ）、当該指示データをＰＤＡ１０のシステムバス１００に送出する（図４ステップＳ１０７）。この指示データ（コマンド）はシステムコントローラ１０２を介してＣＰＵ１０１に受け付けられる。例えば「終了」が音声入力されると、その音声データにより生成されるコマンド（ＣＯＭａ）がＣＰＵ１０１に受け付けられて、現在実行しているプレゼンテーションの処理を終了する処理が実行される。
【００４４】
また、ワイヤレスプロジェクタ２０のコマンド生成用音声テーブル３４ｂから生成された指示データ（ＣＯＭ  １，ＣＯＭ  ２，…）については（図４ステップＳ１０６  Ｎｏ）、当該指示データがパケット化され、無線ＬＡＮデバイス１３０を用いてワイヤレスプロジェクタ２０に供給される（図４ステップＳ１０８）。
【００４５】
ワイヤレスプロジェクタ２０は、ＰＤＡ１０から上記データを受信すると、パケット転送されたデータのヘッダ部の識別情報をもとに、受信した指示データを、指示データと、音声メッセージデータとに弁別する。ここで弁別されたデータが指示データである際は当該指示データが図示しない制御部に供給されて、その指示データに従うプレゼンテーション処理が行われる。例えば音声入力した「拡大」のコマンド（ＣＯＭ  １）を受けると、投影されたスクリーンの画像が所定の拡大倍率で拡大される。音声入力した「撮る」のコマンド（ＣＯＭ  ９）を受けると、書画カメラ２２により投影スクリーン画像が撮影され、無線ＬＡＮデバイス２１を用いてＰＤＡ１０に送信される。
【００４６】
また、上記弁別されたデータがプレゼンテーション用の音声メッセージデータである際は、当該データが音声信号出力部２３に供給される。音声信号出力部２３は無線ＬＡＮデバイス２１が受信した音声メッセージデータ（音声データパケット）を復号処理しアナログ音声信号に復元して音声増幅器２４に供給する。音声増幅器２４は音声信号出力部２３で復元したアナログ音声信号を電力増幅し、スピーカ２５より音声メッセージを出力する。
【００４７】
上記したように、プレゼンテーション画像の更新を伴う無線データ転送路を有効に活用して、音声リモートコントロール機能、並びに音声メッセージ機能を実現できる。
【００４８】
尚、上記した実施形態では、図１および図２に示した構成のＰＤＡを例に示したが、これに限らず、外部機器との無線通信をもつ既存の各種情報処理機器に於いても上記した実施形態と同様のプレゼンテーション機能を実現可能である。また、上記した各実施形態では、ＰＤＡ１０がワイヤレスプロジェクタ２０に対して、それぞれＶＧＡスライドデータによる無線プレゼンテーション機能を実現した例を示しているが、例えばＳＶＧＡ等の高精細画像データによる無線プレゼンテーション機能を実現することも可能である。また、本発明は、上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００４９】
【発明の効果】
以上のように、本発明によれば、機能性の高い、使い勝手のよい無線プレゼンテーション機能をもつ情報処理装置が実現できる。
【図面の簡単な説明】
【図１】本発明の実施形態に係る情報処理装置の機能を説明するためのブロック図。
【図２】同実施形態に於ける情報処理装置のシステム構成を示すブロック図。
【図３】同実施形態に於ける音声リモートコントロール機能を実現するための構成要素を示すブロック図。
【図４】同実施形態の情報処理装置によって実行されるワイヤレスプレゼンテーション処理の手順を示すフローチャート。
【符号の説明】
１０…ＰＤＡ（情報処理装置）、１１…ワイヤレスユーティリティプログラム、１２…プレゼンテーションプログラム、１４…ディスプレイドライバ、１５…ＶＲＡＭ（ビデオメモリ）、２０…ワイヤレスプロジェクタ、２１，１３０…無線ＬＡＮデバイス、２２…書画カメラ、２３…音声信号出力部（Ｄ／Ａ）、２４…音声増幅器（ＡＭＰ）、２５…ラウドスピーカ（ＳＰ）、３０…マイクロフォン（ＭＩＣ）、３１…音声データ出力部（Ａ／Ｄ）、３２…音声データ切り替えボタン、３３…音声認識エンジン、３４…音声テーブル、３５…プレゼンテーション制御プログラム、１０４…表示コントローラ。
【図１】
2004265329.tif 000003
【図２】
2004265329.tif 000004
【図３】
2004265329.tif 000005
【図４】
2004265329.tif 000006